【事件の表示】
　平成　５年特許願第１４０１１６号「口紅等の収納容器」拒絶査定不服審判事件〔平成　６年１１月２９日出願公開、特開平　６−３２７５１６号〕について、次のとおり審決する。
【結　論】
　本件審判の請求は、成り立たない。
【理　由】
１．手続の経緯・本願発明
　本願は、平成５年５月１８日の出願であって、その請求項１，２に係る発明は、平成１４年２月２２日付の手続補正書により補正された明細書及び図面の記載からみて、特許請求の範囲の請求項１，２に記載されたとおりのものと認められるところ、その請求項１に係る発明（以下、「本願発明」という。）は、次のとおりである。
　
「ハカマ部材と、このハカマ部材内に下端の嵌合部が嵌合固定された上端部が該ハカマ部材の上端部より上方に突出する内筒部材と、この内筒部材に形成された上部が開口された軸心方向の切欠部と、前記内筒部材の外周部および上端部を覆う下部が開口された螺旋溝が形成された螺旋部材と、この螺旋部材の外周部および上部を覆う前記内筒部材の嵌合部の上部に形成された係止溝に下部が回転可能でかつ抜け脱不能に取付けられた外筒部材と、前記内筒部材内に上下移動可能に取付けられた口紅等を支持する皿部材と、この皿部材に形成された前記内筒部材の切欠部および前記螺旋部材の螺旋溝と係合する係合ピンと、前記螺旋部材の下部位置の前記内筒部材と前記外筒部材との間に介装された繰り出し時の調子をとるためのＯリングとを備えたことを特徴とする口紅等の収納容器。」　
　
２．引用例
（１）これに対して、原査定の拒絶の理由に引用された実願平３−６９７２８号（実開平５−１３３１３号）のＣＤ−ＲＯＭ（以下、「引用例１」という。）には、図面と共に次の事項が記載されている。
（ａ）「ハカマ部材と、このハカマ部材の内底部に挿入固定された嵌合部材と、この嵌合部材と一体成形された前記ハカマ部材の上端部より上方に突出する軸心方向の切欠部を有する内筒部材と、この内筒部材の外周部に抜け脱しないように取付けられた螺旋溝を有する螺旋部材と、この螺旋部材の外周部を覆うように下端部が前記ハカマ部材内に挿入された外筒部材と、前記内筒部材内を上下移動する口紅等を支持する皿部材と、この皿部材に形成された前記内筒部材の切欠部および前記螺旋部材の螺旋溝と係合する係合ピンと、前記嵌合部材の前記ハカマ部材の内壁面と嵌合する部位の上部外周部に形成されたＯリング収納凹部と、このＯリング収納凹部に収納された前記外筒部材の下端部と接触し、回動操作時の調子をとるためのＯリングとからなることを特徴とする口紅等の収納容器。」（実用新案登録請求の範囲の請求項１）
（ｂ）「５は前記ハカマ部材１内に下端部が挿入固定された該ハカマ部材１の上端部より上方に突出する合成樹脂材製の内筒部材で、この内筒部材５は下端部側が小径に形成された前記ハカマ部材１の下部内底部に嵌合固定される嵌合部材６と、この嵌合部材６の上部外周部に形成された下部壁７ａよりも上部壁７ｂが短いＯリング収納凹部７と、前記嵌合部材６と一体成形された外周部に螺旋部材収納凹部８を有する内筒部材本体９と、この内筒部材本体９に形成された軸心方向の切欠部１０とから構成されている。」（段落【００１０】）
（ｃ）「１１は前記内筒部材本体９の螺旋材収納凹部８内に、該内筒部材本体９の外周部を覆うように取付けられた螺旋部材で、この螺旋部材１１は金属材製あるいは合成樹脂材製で螺旋溝１２が形成されている。」（段落【００１１】）
（ｄ）「１３は前記内筒部材本体９内に上下移動可能に取付けられた口紅１４を支持する皿部材で、この皿部材１３の外周部には前記内筒部材本体９の切欠部１０および螺旋部材１１の螺旋溝１２と係合する係合ピン１５が形成されている。」（段落【００１２】）
（ｅ）「１６は前記Ｏリング収納凹部７内に収納されたＯリングである。」（段落【００１３】）
（ｆ）「１７は前記内筒部材本体９および前記螺旋部材１１の外周部を覆うとともに、下端部で前記Ｏリング１６と接触して押し圧する外筒部材である。」（段落【００１４】）
（ｇ）「上記構成の口紅収納容器１９は、ハカマ部材１と外筒部材１７とを持って回動させることにより、皿部材１３が上下移動し、口紅１４が外筒部材１７の上端部より出没する。」（段落【００１６】）
（ｈ）また、図１には、螺旋部材１１に形成された螺旋溝１２は下部が開口された螺旋溝１２である点、外筒部材１７が螺旋部材１１の外周部および上部を覆っている点、Ｏリング１６が螺旋部材１１の下部位置の内筒部材５と外筒部材１７との間に介装されている点が示されている。
（ｉ）また、段落【００１６】に「ハカマ部材１と外筒部材１７とを持って回動させることにより、皿部材１３が上下移動し、口紅１４が外筒部材１７の上端部より出没する。」と記載されているところからみて、外筒部材１７は、螺旋部材１１に固定されていて、かつ内筒部材５に対して螺旋部材１１と一体的に回動するものと解することができ、しかも、請求項１の記載によれば、螺旋部材１１は内筒部材５に抜け脱しないように取付けられているのであるから、結局、外筒部材１７は内筒部材５に対して回転可能でかつ抜け脱不能に構成されているものと認められる。
　
　これらの記載事項及び図示内容を総合すると、引用例１には、
「ハカマ部材１と、このハカマ部材１の内底部に嵌合部材６が挿入固定された上端部が該ハカマ部材１の上端部より上方に突出する内筒部材５と、この内筒部材５に形成された軸心方向の切欠部１０と、前記内筒部材５の外周部を覆う下部が開口された螺旋溝１２が形成された螺旋部材１１と、この螺旋部材１１の外周部および上部を覆う内筒部材に回転可能でかつ抜け脱不能に取付けられた外筒部材１７と、前記内筒部材５内を上下移動する口紅等を支持する皿部材１３と、この皿部材１３に形成された前記内筒部材５の切欠部１０および前記螺旋部材１１の螺旋溝１２と係合する係合ピン１５と、前記螺旋部材１１の下部位置の前記内筒部材５と前記外筒部材１７との間に介装された回動操作時の調子をとるためのＯリング１６とを備えた口紅等の収納容器。」
（以下、「引用発明」という。）が記載されていると認めることができる。
　
（２）同じく、原査定の拒絶の理由に引用された実願昭６１−１５４１１６号（実開昭６３−５８９０７号）のマイクロフィルム（以下、「引用例２」という。）には、
その第２図に、内筒部材５に形成された軸心方向の切欠部１０が「上部が開口された切欠部１０」である点、螺旋溝１１が形成された外筒部材６が「内筒部材５の外周部および上端部を覆う外筒部材６」である点が図示されており、
これらの図示内容および特に第５頁第１１行〜第６頁第４行の記載からみて、引用例２には、
「ハカマ部材１と、このハカマ部材１内に下端の嵌合部が嵌合固定された上端部が該ハカマ部材１の上端部より上方に突出する内筒部材５と、この内筒部材５に形成された軸心方向の切欠部１０と、前記内筒部材５の外周部および上端部を覆う螺旋溝１１が形成された外筒部材６と、前記内筒部材５内に上下移動可能に取付けられた口紅等を支持する皿部材７と、この皿部材７に形成された前記内筒部材５の切欠部１０および前記外筒部材６の螺旋溝１１と係合する係合ピン１２とを備えた口紅等の収納容器。」
が記載されていると認めることができる。
　
（３）同じく、原査定の拒絶の理由に引用された特開平４−６４３０７号公報（以下、「引用例３」という。）には、特に特許請求の範囲第１項、第４頁右下欄第８行〜同欄第１５行、第５頁右上欄第６行〜同欄第８行、第６頁右下欄第４行〜同欄第１８行、第８図及び第９図の記載からみて、
「外装体４０と、この外装体４０内に下端の取着部２２が嵌合固定された上端部が外装体４０の上端部より上方に突出する内筒体２０と、この内筒体２０に形成された軸心方向の縦溝２３と、前記内筒体２０の外周部を覆う螺旋溝３１が形成された螺旋筒３０と、この螺旋筒３０の外周部および上部を覆う前記内筒体２０の取着部２２の上部に形成された周溝２８に下部が回転可能でかつ抜け脱不能に取付けられたスリーブ３３と、前記内筒体２０内に上下移動可能に取付けられた口紅等を支持する受筒１０と、この受筒１０に形成された前記内筒体２０の縦溝２３および前記螺旋体３０の螺旋溝３１と係合する係合凸起１３と、前記螺旋筒３０の下部位置の前記内筒体２０と前記スリーブ３３との間に介装された繰り出し時の調子をとるための回転抵抗体３５とを備えた口紅等の収納容器。」が記載されていると認められ、特に、「内筒体２０の取着部２２の上部に形成された周溝２８にスリーブ３３の下部が回転可能でかつ抜け脱不能に取付けられた」点が記載されていると認めることができる。
　
３．対比
　本願発明と引用発明とを対比すると、引用発明の「ハカマ部材１の内底部に嵌合部材６が挿入固定された」「内筒部材５内を上下移動する口紅等を支持する皿部材１３」及び「回動操作時の調子をとるためのＯリング」は、その作用・機能からみて、それぞれ本願発明の「ハカマ部材内に下端の嵌合部が嵌合固定された」「内筒部材内に上下移動可能に取付けられた口紅等を支持する皿部材」及び「繰り出し時の調子をとるためのＯリング」に相当する。
　してみると、本願発明と引用発明とは、
「ハカマ部材と、このハカマ部材内に下端の嵌合部が嵌合固定された上端部が該ハカマ部材の上端部より上方に突出する内筒部材と、この内筒部材に形成された軸心方向の切欠部と、前記内筒部材の外周部を覆う下部が開口された螺旋溝が形成された螺旋部材と、この螺旋部材の外周部および上部を覆う前記内筒部材に回転可能でかつ抜け脱不能に取付けられた外筒部材と、前記内筒部材内に上下移動可能に取付けられた口紅等を支持する皿部材と、この皿部材に形成された前記内筒部材の切欠部および前記螺旋部材の螺旋溝と係合する係合ピンと、前記螺旋部材の下部位置の前記内筒部材と前記外筒部材との間に介装された繰り出し時の調子をとるためのＯリングとを備えた口紅等の収納容器。」
である点で一致し、次の点で相違する。
＜相違点１＞
  本願発明の切欠部は、「上部が開口された切欠部」であり、螺旋部材は「内筒部材の上端部を覆う螺旋部材」であるのに対して、引用発明の切欠部および螺旋部材は、そのような構成を備えていない点。
＜相違点２＞
　外筒部材を内筒部材に対して回転可能でかつ抜け脱不能に取り付けるための取付手段に関して、本願発明は、「内筒部材の嵌合部の上部に形成された係止溝に外筒部材の下部が回転可能でかつ抜け脱不能に取付けられている」のに対して、引用発明は、そのような構成を備えていない点。
　
４．当審の判断
　上記相違点について検討する。
＜相違点１＞について
　本願発明と引用例２に記載された発明とを対比すると、引用例２に記載された「外筒部材６」は、その機能又は作用からみて、本願発明の「螺旋部材」に相当するから、引用例２には、切欠部および螺旋部材に関して、「上部が開口された切欠部」および「内筒部材の上端部を覆う螺旋部材」が記載されているものと認められる。そして、引用例２に記載された発明においては、組立時に、内筒部材５に皿部材７および螺旋部材を順次上方から嵌合組付けすることができるものと認められる。
　ところで、単一方向から各構成部材を順次嵌合組付けできるように構成することにより自動組立てを可能にするという課題は、例えば実願昭６１−３１５６８号（実開昭６２−１４３４２６号）のマイクロフィルムなどに見られるように、口紅等の収納容器の技術分野において従来周知の課題にすぎないから、引用発明において、上記周知の課題を達成すべく上方から各構成部材を順次嵌合できるようにするために、切欠部および螺旋部材に関して引用例２に記載されたものを適用するようなことは、当業者が容易に想到できたことである。
　したがって、上記相違点１に係る構成は、当業者が容易に想到できたものであるということができる。
　
＜相違点２＞について
　本願発明と引用例３に記載された発明とを対比すると、引用例３に記載された「外装体４０」「取着部２２」「内筒体２０」「縦溝２３」「螺旋溝３１」「螺旋筒３０」「周溝２８」「スリーブ３３」「受筒１０」「係合凸起１３」及び「回転抵抗体３５」は、その機能または作用からみて、ぞれぞれ本願発明における「ハカマ部材」「嵌合部」「内筒部材」「切欠部」「螺旋溝」「螺旋部材」「係止溝」「外筒部材」「皿部材」「係合ピン」及び「Ｏリング」に相当するから、引用例３には、
「ハカマ部材と、このハカマ部材内に下端の嵌合部が嵌合固定された上端部が該ハカマ部材の上端部より上方に突出する内筒部材と、この内筒部材に形成された軸心方向の切欠部と、前記内筒部材の外周部を覆う螺旋溝が形成された螺旋部材と、この螺旋部材の外周部および上部を覆う前記内筒部材の嵌合部の上部に形成された係止溝に下部が回転可能でかつ抜け脱不能に取付けられた外筒部材と、前記内筒部材内に上下移動可能に取付けられた口紅等を支持する皿部材と、この皿部材に形成された前記内筒部材の切欠部および前記螺旋部材の螺旋溝と係合する係合ピンと、前記螺旋部材の下部位置の前記内筒部材と前記外筒部材との間に介装された繰り出し時の調子をとるためのＯリングとを備えた口紅等の収納容器。」が記載されているということができ、特に、外筒部材を内筒部材に対して回転可能でかつ抜け脱不能に取り付けるための取付手段に関して、「内筒部材の嵌合部の上部に形成された係止溝に外筒部材の下部が回転可能でかつ抜け脱不能に取付けられた」点からなる取付手段が記載されていると認められる。
　それゆえ、引用発明において、外筒部材を内筒部材に対して回転可能でかつ抜け脱不能に取り付けるための取付手段に代えて、引用例３に記載された取付手段を採用するようなことは、当業者が容易に想到できたことである。
　したがって、上記相違点２に係る構成も、当業者が容易に想到できたものであるということができる。
　
　そして、本願発明の効果も、引用例１乃至３に記載された発明及び周知技術から当業者が予測できる範囲内のものである。
　
５．むすび
　以上のとおり、本願発明は、引用例１乃至３に記載された発明及び周知技術に基いて、当業者が容易に発明をすることができたものであるから、特許法第２９条第２項の規定により特許を受けることができない。
　よって、結論のとおり審決する。